【事件の表示】
　商願２０１５−２０８４６拒絶査定不服審判事件について、次のとおり審決する。
【結　論】
　原査定を取り消す。
　本願商標は、登録すべきものとする。
【理　由】
１　本願商標
　本願商標は、別掲１のとおりの構成からなり、第２５類「被服」、第３０類「コーヒー，茶」、第３２類「アルコールを含有しない飲料」、第３５類「せっけん類・化粧品の小売の業務において行われる顧客に対する便益の提供」及び第４３類「飲食物の提供」を指定商品及び指定役務として、平成２７年３月９日に登録出願され、その後、指定商品及び指定役務については、当審における同２８年３月１７日付け手続補正書により、第２５類「被服」、第３０類「コーヒー，茶」及び第４３類「飲食物の提供」に補正されたものである。
２　引用商標
　原査定において、本願商標が商標法第４条第１項第１１号に該当するとして、本願の拒絶の理由に引用した登録商標は、以下のとおりであり、いずれも現に有効に存続しているものである。
（１）登録第４２９３０６４号商標（以下「引用商標１」という。）は、「ブルーハワイ」の片仮名と「ＢＬＵＥ　ＨＡＷＡＩＩ」の欧文字とを上下二段に横書きしてなり、平成９年１２月１日に登録出願、第３０類「コーヒー及びココア，コーヒー豆，茶，米，脱穀済みのえん麦，脱穀済みの大麦，食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，即席菓子のもと，アーモンドペースト，イーストパウダー，こうじ，酵母，ベーキングパウダー，氷，アイスクリーム用凝固剤，家庭用食肉軟化剤，酒かす，ホイップクリーム用安定剤」を指定商品として、同１１年７月９日に設定登録されたものである。
（２）登録第４４１０１２９号商標（以下「引用商標２」という。）は、「ＬＩＦＥ　ＳＴＹＬＥ」の欧文字を標準文字で表してなり、平成１１年７月７日に登録出願、第２５類「洋服，コート，セーター類，ワイシャツ類，寝巻き類，下着，水泳着，水泳帽，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子，運動用特殊衣服，運動用特殊靴（「乗馬靴」を除く。）」を指定商品として、同１２年８月１８日に設定登録され、その後、商標登録の取消し審判により、指定商品中「洋服，コート，セーター類，ワイシャツ類，寝巻き類，下着，水泳着，水泳帽，ずきん，すげがさ，ナイトキャップ，ヘルメット，帽子」について取り消すべき旨の審決がされ、同１９年５月２３日にその審判の確定登録がされたものである。
（３）登録第４９９８７８３号商標（以下「引用商標３」という。）は、「ＬＩＦＥ　ＳＴＹＬＥ」の欧文字を横書きしてなり、平成１７年１２月１６日に登録出願、第３０類「アイスクリーム凝固剤，家庭用食肉軟化剤，ホイップクリーム用安定剤，食品香料（精油のものを除く。），茶，コーヒー及びココア，氷，菓子及びパン，みそ，ウースターソース，グレービーソース，ケチャップソース，しょうゆ，食酢，酢の素，そばつゆ，ドレッシング，ホワイトソース，マヨネーズソース，焼肉のたれ，角砂糖，果糖，氷砂糖，砂糖，麦芽糖，はちみつ，ぶどう糖，粉末あめ，水あめ，ごま塩，食塩，すりごま，セロリーソルト，化学調味料，香辛料，アイスクリームのもと，シャーベットのもと，コーヒー豆，穀物の加工品，アーモンドペースト，ぎょうざ，サンドイッチ，しゅうまい，すし，たこ焼き，肉まんじゅう，ハンバーガー，ピザ，べんとう，ホットドッグ，ミートパイ，ラビオリ，即席菓子のもと，酒かす」を指定商品として、同１８年１０月２７日に設定登録されたものである。
（４）登録第５１７７７９６号商標（以下「引用商標４」という。）は、「ブルーハワイ」の片仮名と「ＢＬＵＥ　ＨＡＷＡＩＩ」の欧文字とを上下二段に横書きしてなり、平成２０年４月１８日に登録出願、第２５類「被服，バンド，ベルト，履物，運動用特殊衣服，運動用特殊靴」及び第２８類「運動用具」を指定商品として、同年１０月３１日に設定登録されたものである。
（５）登録第５２２８２６１号商標（以下「引用商標５」という。）は、別掲２のとおりの構成からなり、平成２０年９月４日に登録出願、第３２類「清涼飲料，果実飲料」を指定商品として、同２１年５月１日に設定登録されたものである。
（６）登録第５４４０６３１号商標（以下「引用商標６」という。）は、「ブルーハワイ」の片仮名を横書きしてなり、平成２２年１１月２５日に登録出願された商願２０１０−０９１４９８に係る商標法第１０条第１項の規定による商標登録出願（分割出願）として、同２３年４月１５日に登録出願、第３類「せっけん類，歯磨き，化粧品，香料類」を指定商品として、同年９月２２日に設定登録されたものである。
（７）登録第５４６４５３０号商標（以下「引用商標７」という。）は、「ブルーハワイ」の片仮名と「ＢＬＵＥ　ＨＡＷＡＩＩ」の欧文字とを上下二段に横書きしてなり、平成２３年７月８日に登録出願、第４３類「飲食物の提供」を指定役務として、同２４年１月２０日に設定登録されたものである。
３　当審の判断
（１）引用商標５及び引用商標６との類否について
　本願の指定商品及び指定役務は、前記１のとおり補正された結果、引用商標５及び引用商標６の指定商品とは類似しない商品及び役務となった。
　したがって、本願商標が引用商標５及び引用商標６と類似するとして、商標法第４条第１項第１１号に該当するとした拒絶の理由は解消した。
（２）引用商標１ないし引用商標４及び引用商標７との類否について
　本願商標は、別掲１のとおり、横長だ円の輪郭を描き、その内側に沿うように描いた黒色の帯状だ円内の上部と下部に、それぞれ「ＢＬＵＥ ＨＡＷＡＩＩ」の欧文字（上部）と、「ＬＩＦＥ ＳＴＹＬＥ」の欧文字（下部）とを白抜きし、さらに該「ＬＩＦＥ ＳＴＹＬＥ」の文字の両サイドに花とおぼしき図形を配し、また、帯状だ円に囲まれた中央部分に太陽と椰子の木と波模様を描いたものとおぼしき図形を配した構成からなるところ、本願商標は、だ円輪郭内に、文字と図形とがバランス良く配置されていることから、これに接する者に、一体に表された商標との印象を与えるものといえる。
　そして、その構成中の文字部分についてみると、上部の「ＢＬＵＥ ＨＡＷＡＩＩ」の文字と下部の「ＬＩＦＥ ＳＴＹＬＥ」の文字は、大きさは異なるものの同じ書体で表されたものであり、文字部分全体から生じる「ブルーハワイライフスタイル」の称呼も、よどみなく一連に称呼し得るものである。
　さらに、文字部分を構成する各語はいずれも一般に親しまれている語であるから、本願商標の文字部分全体からは、「青いハワイのライフスタイル」ほどの意味合いが容易に想起され、本願商標は、かかる観念を生じるものといえる。
　そうすると、本願商標の上記構成、称呼及び観念を併せ考慮すれば、本願商標は、これに接する取引者、需要者に対し、「ＢＬＵＥ ＨＡＷＡＩＩ」及び「ＬＩＦＥ ＳＴＹＬＥ」の各文字部分が独立して商品又は役務の出所識別標識として強く支配的な印象を与えるものとはいえないと判断するのが相当である。
　したがって、本願商標から「ＢＬＵＥ ＨＡＷＡＩＩ」及び「ＬＩＦＥ ＳＴＹＬＥ」の文字部分を抽出し、その上で、本願商標と引用商標１ないし４及び引用商標７とが類似するものとして、本願商標を商標法第４条第１項第１１号に該当するとした原査定は、妥当でない。
（３）まとめ
　以上によれば、本願商標が商標法第４条第１項第１１号に該当するとして、本願を拒絶した原査定は取消しを免れない。
　その他、本願について拒絶の理由を発見しない。
　よって、結論のとおり審決する。